(57)【要約】【課題】  メールを受信してからメールを確認するまで時間が経過した場合でも、メール受信後の待ち受け画面上で、メール中の絵文字を用いてメール送信者が伝えようとする感情等に関する情報を確認することができる移動体通信端末を提供する。【解決手段】  受信したメールに特定の絵文字が含まれているとき、その絵文字に対応する画像を待ち受け画面に表示する。上記絵文字は、感情に関する情報や、メールの注目度又は重要度に関する情報が予め対応付けられている。上記絵文字は、メールの件名の先頭部分に入力されている。メールの送信者が予め設定した特定のメール送信者の場合のみ上記特定の絵文字に対応する画像の待ち受け画面への表示を行うようにしてもよい。【選択図】  図６
2007135112.tif 000002
【特許請求の範囲】
【請求項１】
表示手段と、
通信ネットワークを介してメールを送受信する通信手段と、
該通信手段で受信したメールに特定の絵文字が含まれているとき、その絵文字に対応する画像を待ち受け画面に表示するように、該表示手段を制御する制御手段とを備えたことを特徴とする移動体通信端末。
【請求項２】
請求項１の移動体通信端末において、
上記特定の絵文字は、感情に関する情報が予め対応付けられていることを特徴とする移動体通信端末。
【請求項３】
請求項１の移動体通信端末において、
上記特定の絵文字は、メールの注目度又は重要度に関する情報が予め対応付けられていることを特徴とする移動体通信端末。
【請求項４】
請求項１の移動体通信端末において、
上記メールは、件名の欄とメール本文の欄とを有し、
上記特定の絵文字は、該件名の先頭部分に入力されていることを特徴とする移動体通信端末。
【請求項５】
請求項１の移動体通信端末において、
上記制御手段は、上記通信手段でメールを受信したとき、そのメールの送信者が予め設定した特定のメール送信者の場合のみ上記特定の絵文字に対応する画像の待ち受け画面への表示を行うように制御することを特徴とする移動体通信端末。
【請求項６】
請求項１乃至５のいずれかの移動体通信端末において、
該移動体通信端末本体を振動させる振動発生手段と、
上記通信手段で受信したメールに上記特定の絵文字が含まれているとき、メール着信通知動作として、該絵文字に予め対応付けられた振動パターンで振動させるように、該振動発生手段を制御する制御手段とを備えたことを特徴とする移動体通信端末。
【請求項７】
請求項１乃至５のいずれかの移動体通信端末において、
発光手段と、
上記通信手段で受信したメールに上記特定の絵文字が含まれているとき、メール着信通知動作として、該絵文字に対応させて予め設定した色又は発光パターンで発光させるように、該発光手段を制御する制御手段とを備えたことを特徴とする移動体通信端末。
【請求項８】
請求項１乃至５のいずれかの移動体通信端末において、
音出力手段と、
上記通信手段で受信したメールに上記特定の絵文字が含まれているとき、メール着信通知動作として、該絵文字に対応させて予め設定した効果音又は音楽を出力するように、該音出力手段を制御する制御手段とを備えたことを特徴とする移動体通信端末。
【請求項９】
請求項１乃至５のいずれかの移動体通信端末において、
該移動体通信端末本体を振動させる振動発生手段と、
上記通信手段で受信したメールの送信者を識別し、メール着信通知動作として、その送信者に予め対応付けられた振動パターンで振動させるように、該振動発生手段を制御する制御手段とを備えたことを特徴とする移動体通信端末。
【請求項１０】
請求項１乃至５のいずれかの移動体通信端末において、
発光手段と、
上記通信手段で受信したメールの送信者を識別し、メール着信通知動作として、その送信者に予め対応付けられた色又はパターンで発光するように、該発光手段を制御する制御手段とを備えたことを特徴とする移動体通信端末。
【請求項１１】
請求項１乃至５のいずれかの移動体通信端末において、
音出力手段と、
上記通信手段で受信したメールの送信者を識別し、メール着信通知動作として、その送信者に予め対応付けられた効果音又は音楽を出力するように、該音出力手段を制御する制御手段とを備えたことを特徴とする移動体通信端末。
【請求項１２】
請求項１乃至１１のいずれかの移動体通信端末において、
送信対象のメールを作成するメール作成画面で絵文字入力メニューが選択されたとき、上記複数種類の特定の絵文字のリスト画面を表示し、該絵文字のリストから絵文字が選択されたとき、その選択された絵文字を送信対象のメールの所定位置に挿入するように制御する制御手段を備えたことを特徴とする移動体通信端末。
【発明の詳細な説明】
【技術分野】
【０００１】
本発明は、携帯電話機等の移動体通信端末に関するものである。
【背景技術】
【０００２】
従来、この種の移動体通信端末として、電子メールやＳＭＳ（Short Message Service）メール等を送受信する機能を有する携帯電話機が知られている。この携帯電話機で送受信されるメールでは、メールの文章の一部を省略したり、メール送信者の感情を表現したりするために絵文字が用いられる場合が多い。この絵文字は、例えば、人物の顔や手、乗り物、動物等のイラスト、記号、マーク等で構成され、文字コードの空き領域に設定される。
【０００３】
また、特許文献１には、電子メールの受信時に、受信した電子メールに絵文字が存在しているとき、その絵文字に対応して予め登録された色及びパターンで絵文字ヒカリ表示部を駆動する携帯電話機（携帯端末装置）が開示されている。上記絵文字ヒカリ表示部による発光のパターンとしては、１６Ｈｚの周波数で点滅を繰り返す１６Ｈｚ点滅パターン、１秒間連続して点灯する１秒間連続点灯パターン、および１秒間で最大の光量に達しその後の１秒間で元に戻る蛍光灯パターンが開示されている（特許文献１の段落００５２、図４〜６参照）。この携帯電話機では、受信した電子メールに絵文字が含まれていれば、その絵文字に対応する感情などが、絵文字ヒカリ表示部の色およびパターンで表現される。
【特許文献１】特開２００５−１４２７９７号公報
【発明の開示】
【発明が解決しようとする課題】
【０００４】
しかしながら、上記特許文献１の携帯電話機では、上記発光のパターンで例示されているように、絵文字ヒカリ表示部による発光は電子メール受信後速やかに終了してしまう。そのため、メール受信時に上記絵文字ヒカリ表示部の発光を見逃してしまうと、その後、メールの受信者は、その受信したメールを実際に開いて確認するまで、メールに含まれる絵文字に対応させて設定された感情を確認することができなくなってしまうという問題があった。かかる問題は、絵文字に対応させてメールの送信側から受信側に伝達される情報が、上記感情以外の情報場合、例えばメールの注目度や重要度に関する情報である場合にも、同様に生じ得る。
【０００５】
本発明は以上の問題点に鑑みなされたものであり、その目的は、メールを受信してからメールを確認するまで時間が経過した場合でも、メール受信後の待ち受け画面上で、メール中の絵文字を用いてメール送信者が伝えようとする感情等に関する情報を確認することができる移動体通信端末を提供することである。
【課題を解決するための手段】
【０００６】
請求項１の発明は、移動体通信端末において、表示手段と、通信ネットワークを介してメールを送受信する通信手段と、該通信手段で受信したメールに特定の絵文字が含まれているとき、その絵文字に対応する画像を待ち受け画面に表示するように、該表示手段を制御する制御手段とを備えたことを特徴とするものである。
この移動体通信端末では、特定の絵文字を含むメールを受信することができる。この特定の絵文字には、メール送信側から伝えられる特定の情報と、待ち受け画面に表示する画像とが予め対応付けられている。そして、受信したメールに上記特定の絵文字が含まれていると、その絵文字に対応する画像が待ち受け画面に表示される。このメール受信後の待ち受け画面に表示される画像により、メールを受信してからメールを確認するまで時間が経過した場合でも、そのメール中の絵文字を用いてメール送信者が伝えようとする情報を確認することができる。
【０００７】
請求項２の発明は、請求項１の移動体通信端末において、上記特定の絵文字は、感情に関する情報が予め対応付けられていることを特徴とするものである。
この移動体通信端末では、メール受信後の待ち受け画面上で、そのメールについてメール送信者が設定した感情（気持ち）に関する情報を確認できる。
【０００８】
請求項３の発明は、請求項１の移動体通信端末において、上記特定の絵文字は、メールの注目度又は重要度に関する情報が予め対応付けられていることを特徴とするものである。
この移動体通信端末では、メール受信後の待ち受け画面上で、そのメールについてメール送信者が設定したメールの注目度又は重要度に関する情報を確認できる。
【０００９】
請求項４の発明は、請求項１の移動体通信端末において、上記メールは、件名の欄とメール本文の欄とを有し、上記特定の絵文字は、該件名の先頭部分に入力されていることを特徴とするものである。
この移動体通信端末では、上記特定の絵文字が、メールの所定欄（件名）の所定位置（先頭部分）に入力されるため、上記特定の絵文字が含まれているか否か及びその絵文字の種類を確認しやすい。
【００１０】
請求項５の発明は、請求項１の移動体通信端末において、上記制御手段は、上記通信手段でメールを受信したとき、そのメールの送信者が特定のメール送信者の場合のみ上記特定の絵文字に対応する画像の待ち受け画面への表示を行うように制御することを特徴とするものである。
この移動体通信端末では、受信したメールの送信者が、記憶手段に予めアドレス情報が記憶された家族や友人等の特定のメール送信者の場合のみ、上記特定の絵文字に対応する画像の待ち受け画面への表示を行う。従って、上記特定のメール送信者以外の送信者から受信したメールに上記特定の絵文字が含まれていたとしても、上記特定の絵文字に対応する画像の待ち受け画面への表示が行われない。よって、特定のメール送信者以外の送信者による、上記特定の絵文字に対応した画像の表示機能の悪用や乱用を防止できる。
【００１１】
請求項６の発明は、請求項１乃至５のいずれかの移動体通信端末において、該移動体通信端末本体を振動させる振動発生手段と、上記通信手段で受信したメールに上記特定の絵文字が含まれているとき、メール着信通知動作として、該絵文字に予め対応付けられた振動パターンで振動させるように、該振動発生手段を制御する制御手段とを備えたことを特徴とするものである。
この移動体通信端末では、メールの受信中又はメールの受信直後のメール着信通知動作時に、受信したメール中の特定の絵文字に対応付けられた振動パターンで振動する。この振動パターンにより、メール着信通知動作時には、表示手段の表示を確認しなくても、メール中の絵文字を用いてメール送信者が伝えようとする情報を確認することができる。
【００１２】
請求項７の発明は、請求項１乃至５のいずれかの移動体通信端末において、発光手段と、上記通信手段で受信したメールに上記特定の絵文字が含まれているとき、メール着信通知動作として、該絵文字に予め対応付けられた色又は発光パターンで発光させるように、該発光手段を制御する制御手段とを備えたことを特徴とするものである。
この移動体通信端末では、メール着信通知動作時に、受信したメール中の絵文字に対応する付加伝達情報に合わせた色又は発光パターンで発光する。この発光により、メール着信通知動作時には、表示手段の表示を確認しなくても、メール中の絵文字を用いてメール送信者が伝えようとする情報を確認することができる。
【００１３】
請求項８の発明では、請求項１乃至５のいずれかの移動体通信端末において、音出力手段と、上記通信手段で受信したメールに上記特定の絵文字が含まれているとき、メール着信通知動作として、該絵文字に予め対応付けられた効果音又は音楽を出力するように、該音出力手段を制御する制御手段とを備えたことを特徴とするものである。
この移動体通信端末では、メール着信通知動作時に、受信したメール中の絵文字に対応する付加伝達情報に合わせた効果音又は音楽を出力する。この効果音又は音楽により、メール着信通知動作時には、表示手段の表示を確認しなくても、メール中の絵文字を用いてメール送信者が伝えようとする情報を確認することができる。
【００１４】
請求項９の発明は、請求項１乃至５のいずれかの移動体通信端末において、該移動体通信端末本体を振動させる振動発生手段と、上記通信手段で受信したメールの送信者を識別し、メール着信通知動作として、その送信者に予め対応付けられた振動パターンで振動させるように、該振動発生手段を制御する制御手段とを備えたことを特徴とするものである。
この移動体通信端末では、メール着信通知時に、メールの送信者に予め対応付けられた振動パターンで振動させることにより、表示手段の表示を確認しなくてもメールの送信者を確認できる。
【００１５】
請求項１０の発明は、請求項１乃至５のいずれかの移動体通信端末において、発光手段と、上記通信手段で受信したメールの送信者を識別し、メール着信通知動作として、その送信者に予め対応付けられた色又はパターンで発光するように、該発光手段を制御する制御手段とを備えたことを特徴とするものである。
この移動体通信端末では、メール着信通知時に、メールの送信者に予め対応付けられた色又はパターンで発光することにより、表示手段の表示を確認しなくてもメールの送信者を確認できる。
【００１６】
請求項１１の発明は、請求項１乃至５のいずれかの移動体通信端末において、音出力手段と、上記通信手段で受信したメールの送信者を識別し、メール着信通知動作として、その送信者に予め対応付けられた効果音又は音楽を出力するように、該音出力手段を制御する制御手段とを備えたことを特徴とするものである。
この移動体通信端末では、メール着信通知時に、メールの送信者に予め対応付けられた効果音又は音楽を出力することにより、表示手段の表示を確認しなくてもメールの送信者を確認できる。
【００１７】
請求項１２の発明は、請求項１乃至１１のいずれかの移動体通信端末において、送信対象のメールを作成するメール作成画面で絵文字入力メニューが選択されたとき、上記複数種類の特定の絵文字のリスト画面を表示し、該絵文字のリストから絵文字が選択されたとき、その選択された絵文字を送信対象のメールの所定位置に挿入するように制御する制御手段を備えたことを特徴とするものである。
この移動体通信端末では、メール作成画面で絵文字入力メニューを選択されたときに表示されるリスト画面上で、複数種類の特定の絵文字のいずれかを選択すると、その選択された絵文字が送信対象のメールの所定位置に挿入される。このようにメール作成画面での絵文字入力メニューの選択およびリスト画面での絵文字の選択という簡易な操作により、感情等に関する情報に対応する絵文字を、送信対象のメールの所定位置に入力することができる。
【発明の効果】
【００１８】
本発明によれば、受信したメールに特定の絵文字が含まれているとき、その絵文字に対応する画像が、メール受信後の待ち受け画面に表示される。従って、メールを受信してからメールを確認するまで時間が経過した場合でも、メール受信後の待ち受け画面上で、メール中の絵文字を用いてメール送信者が伝えようとする感情等に関する情報を確認することができるという効果を奏する。
【発明を実施するための最良の形態】
【００１９】
以下、本発明を移動体通信端末としての携帯電話機に適用した実施形態について説明する。
図１は本発明の実施形態に係る携帯電話機１０を用いて音声通話やメール送受信を行うための通信システムの一例を示す概略構成図である。この通信システムは、複数の携帯電話機１０と、移動体通信ネットワークとしての携帯電話通信網２０とを備えている。携帯電話通信網２０は、基地局２０１や図示しない交換機（回線交換機、パケット交換機）等を備え、ゲートウェイサーバを介してインターネット３０に接続されている。また、携帯電話通信網２０には、ショートメッセージサービス（ＳＭＳ）のメールを処理するメールサーバ（ショートメッセージサービスセンター）２１が接続され、インターネット３０には、電子メールを処理するメールサーバ３１が接続されている。これらのメールサーバ２１，３１を介して、各携帯電話機１０は、電子メールやＳＭＳメールを送受信することができる。なお、後述のメール送受信の制御動作では、受信側の携帯電話機１０Ａと送信側の携帯電話機１０Ｂとを適宜区別する。
【００２０】
図２は本発明の実施形態に係る携帯電話機の概略構成の一例を示すブロック図である。図３は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６とを備えている。また、携帯電話機１０は、携帯電話機本体を振動させる振動発生手段としての振動部１２７や、光を発する発光手段としての発光部１２８も備えている。
【００２１】
上記主制御部１２０は、例えばＣＰＵ、キャッシュメモリ、ＲＯＭ、システムバス等で構成され、所定の制御プログラムを実行することにより、内部メモリ１２１や無線通信部１２２、振動部１２７等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、キー操作部１２６、振動部１２７及び発光部１２８も接続されている。
【００２２】
上記内部メモリ１２１は、例えばＲＡＭやＲＯＭなどの半導体メモリで構成され、主制御部１２０で実行する制御プログラムや各種データを記憶するものである。なお、これらの記憶手段としては、上記内部メモリ１２１ではなく、携帯電話機本体に着脱可能なメモリーカード、ＩＣカード等の記憶媒体を用いてもよい。
【００２３】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存している画像等が表示される。
【００２４】
上記スピーカ１０９は、音信号処理部１２３でデジタル信号から変換されたアナログ信号が入力され、通話中の音声を出力したり、メールの着信音、電話の呼び出し音、音楽などを出力したりする。このスピーカ１０９及び音信号処理部１２３からなる音発生手段は、受信したメールに含まれる絵文字に対応する効果音や音楽（楽曲、メロディ）を再生して出力するように、主制御部１２０で制御することができる。
【００２５】
なお、上記スピーカ１０９は、図３に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００２６】
上記キー操作部１２６は、データ入力キー（テンキー、＊キー、＃キー）１０３、通話開始キー１０４、終話キー１０５、スクロールキー１０６、多機能キー１０７等で構成され、利用者が通話開始、終話、メニュー選択、画面切り換え等を指示したり情報を入力したりするときに用いられる。このキー操作部１２６は、絵文字のリストを表示させてメールに絵文字を入力するときにも用いられる。
【００２７】
上記マイク１０８は、利用者の音声を電気信号（アナログ信号）に変換する。マイク１０８から出力される音声の電気信号（アナログ信号）は、音信号処理部１２３に入力され、デジタル信号に変換される。
【００２８】
上記振動部１２７は、例えば小型モータ、そのモータで回転駆動されて振動を発生させる振動体、及び回転駆動源を駆動する駆動回路を用いて構成される。上記モータの回転軸には、その回転中心軸から重心をかたよらせた重りが取り付けられた振動体が設けられている。モータで回転軸が回転駆動されると、上記重りが取り付けられた振動体が振動ことにより振動が発生する。この振動部１２７は、受信したメールに含まれる絵文字に対応する振動パターンで振動させるように、主制御部１２０で制御することができる。
【００２９】
上記発光部１２８は、例えば発光ダイオード（ＬＥＤ）で構成され、互いに異なる複数の色の光を発することができる。この発光部１２８は、受信したメールに含まれる絵文字に対応する色や発光パターンで発光するように、主制御部１２０で制御することができる。
【００３０】
次に、上記構成の携帯電話機１０において、電子メールに特定の絵文字を挿入して含ませることにより、メール送信者が設定した感情（気持ち）等に関する情報をメール受信者に伝えることができるメール送受信について説明する。
【００３１】
表１は、メール送信者が感情（気持ち）等に関する情報をメール受信者に伝えるときに用いることができる絵文字を例示した一覧である。この例では、メール送信者がメール受信者に伝える感情（気持ち）等の情報が５つのグループに分けられている。１番目の「Happy/うれしい」のグループは、幸福や嬉しさの感情を表現するグループである。２番目の「OK/Good」のグループは、相手の質問、意見、提案等に対して了解や肯定の気持ちを表現するグループである。３番目の「悲しい/ごめんなさい」のグループは、悲しみや謝罪の感情を表現するグループである。第４番目の「NG/Bad」のグループは、相手の質問、意見、提案等に対して拒否・否定・怒りの気持ちを表現するグループである。第５番目の「注目/重要」のグループは、メールを注目してほしい旨や重要なメールである旨を表現する注目度・重要度に関する情報のグループである。そして、表１の例では、各グループについて、メール受信者に伝えたい情報の内容を的確に表現している顔の表情、図柄、イラスト等で構成された絵文字が４個ずつ設定されている。
【００３２】
【表１】
2007135112.tif 000003
【００３３】
なお、グループの個数や各グループに属する絵文字の個数は、表１の例に限定されるものではなく、任意に設定することができる。また、絵文字は、必ずしもグループ分けする必要はなく、各絵文字に、互いに異なる感情（気持ち）等の情報を対応づけるようにしてもよい。
【００３４】
表２は、表１における感情等の情報のグループと、メール着信通知時に携帯電話機本体を振動させるバイブ動作の振動パターンと対応関係の一例を示している。各グループの振動パターンは、メール受信者に伝えたい情報の内容を把握しやすいように設定されている。
【００３５】
【表２】
2007135112.tif 000004
【００３６】
表３は、表１における感情等の情報のグループと、メール着信通知時に発光部（ランプ）を発光させるランプ点灯色と対応関係の一例を示している。各グループのランプ点灯色は、メール受信者に伝えたい情報の内容を把握しやすいように設定されている。
【００３７】
【表３】
2007135112.tif 000005
【００３８】
メール着信時に出力する効果音や音楽（メロディ）等の着信音についても、表１における感情等の情報のグループに対応付けて予め設定されている。各着信音の種類は、メール受信者に伝えたい情報の内容を把握しやすいように設定されている。例えば、グループ１の「Happy/うれしい」の絵文字については、嬉しさ等が伝わるように明るい効果音や音楽（メロディ）が設定され、グループ３の「悲しい/ごめんなさい」の絵文字については、悲しさなどが伝わるように暗い効果音や音楽（メロディ）が設定される。
【００３９】
図４は、電子メールに絵文字を挿入するときの制御の一例を示すフローチャートである。まず、携帯電話機１０Ｂのキー操作部１２６をユーザが操作することにより、宛先及び件名を入力した後、メッセージ作成のメニューを選択すると、主制御部１２０は、図５（ａ）に示す送信対象の電子メールのメッセージ作成画面９０１を表示するように制御する（Ｓ１）。このメッセージ作成画面で、ユーザがメール本文を入力した後（Ｓ２）、画面の下欄にある「メニュー」９０１ａを選択すると、主制御部１２０は、図示しないメニューリストを表示するように制御する。この表示されたメニューリストから「絵文字入力メニュー」をユーザが選択すると（Ｓ３）、主制御部１２０は、図５（ｂ）に示す感情設定用の絵文字リスト９０２を表示するように制御する（Ｓ４）。この感情設定用の絵文字リスト９０２から、ユーザが入力したい絵文字（図示の例では、ハートの絵文字９０２ａ）を選択し、図示しない「ＯＫ」ボタンを選択する（Ｓ５）。これにより、図５（ｃ）のメッセージ作成画面９０３に示すように、主制御部１２０は、件名の欄９０３ａの先頭に、ユーザが選択した絵文字（ハートの絵文字）を自動挿入するように制御する（Ｓ６）。
以上のように、メッセージ作成画面での絵文字入力メニューの選択および絵文字リスト画面での絵文字の選択という簡易な操作により、感情等に関する情報に対応する絵文字を、送信対象のメールの所定位置（件名の先頭）に入力することができる。
なお、上記件名の欄がないＳＭＳメールを送信する場合は、例えば、感情等に関する情報に対応する絵文字を、メール本文（メッセージ）の先頭部分に入力する。
【００４０】
図６は、電子メールを受信したときの制御の一例を示すフローチャートである。携帯電話機１０Ｂからの電子メールを受信すると（Ｓ１０１）、携帯電話機１０Ａの主制御部１２０は、受信した電子メールの件名の先頭に、上記表１に示す特定の絵文字が存在するか否かを判定する（Ｓ１０２）。ここで、電子メールの件名の先頭に上記特定の絵文字（例えば、ハートの絵文字）が存在していると判定すると（Ｓ１０２のＹｅｓ）、主制御部１２０は、その特定の絵文字に対応した着信通知画像を待ち受け画面上に表示するように制御する（Ｓ１０３）。この着信通知画像は、絵文字に予め対応付けられて作成された画像であり、その絵文字に対応する感情等の情報をメール受信者に容易に認識されるように、絵文字をモチーフにして作成されている。
【００４１】
例えば、ハートの絵文字の場合、図７（ａ）〜（ｃ）に示すようにサイズが異なる複数のハートを組み合わせて作成したメール着信通知画像を表示する。図７（ａ）の例では、受信した絵文字と同じハートが複数配置され、携帯電話機１０ＢのユーザＢＢＢから「新着メッセージ」があった旨を通知するメール着信通知画像９１１ａが、待ち受け画面９１１上に表示されている。図７（ｂ）の例では、複数のハートを有するメール着信通知画像９１２ａと、電話及びメールに関する新着リストの画像９１２ｂとが、一つの待ち受け画面９１１上の上下別々の領域に分けて表示されている。また、図７（ｃ）の例では、複数のハートを有するメール着信通知の画像部分と、電話及びメールに関する新着リストの画像部分とが合体した一つの着信通知画像９１３ａが、待ち受け画像９１３上に表示されている。
【００４２】
なお、上記特定の絵文字をモチーフにした着信通知画像は、その一部の画像部分が動くアニメーション画像であってもよい。この場合は、着信通知画像で伝えようとする感情等に関する情報の表現力が増し、メール受信者に対し、受信したメールを開く開封動作をより効果的に促すことができる。
【００４３】
次に、主制御部１２０は、上記着通知画像の表示を開始した後、メール受信中又はメール受信直後の着信通知動作として実行するバイブ連動、ランプ連動及び着信音連動について設定確認及び制御を実行する（Ｓ１０４〜Ｓ１０６）。
【００４４】
図８に示すバイブ連動制御例では、まず、主制御部１２０は、バイブ連動の設定があるか否かを判定する（Ｓ１０４−１）。バイブ連動の設定がされていると判定した場合（Ｓ１０４−１でＹｅｓ）、主制御部１２０は、前述の表２に示した設定テーブル等を用いて、受信した電子メールの絵文字に対応する振動パターンを選択し（Ｓ１０４−２）、その選択した振動パターンで携帯電話機１０Ａを所定時間だけ振動させるように制御する（Ｓ１０４−３）。
【００４５】
また、図９のランプ連動制御例では、まず、主制御部１２０は、ランプ連動の設定があるか否かを判定する（Ｓ１０５−１）。ランプ連動の設定がされていると判定した場合（Ｓ１０５−１でＹｅｓ）、主制御部１２０は、前述の表３に示した設定テーブル等を用いて、受信した電子メールの絵文字に対応するランプ点灯色を選択し（Ｓ１０５−２）、その選択したランプ点灯色で携帯電話機１０Ａの発光部を所定時間だけ点灯させるように制御する（Ｓ１０５−３）。
【００４６】
また、図１０の着信音連動制御例では、まず、主制御部１２０は、メール着信音について、メールの送信者である着信ユーザ毎の個別設定があるか否かを判定する（Ｓ１０６−１）。着信ユーザ毎の個別設定がある場合は、その着信ユーザに対応した着信音（効果音や音楽）を選択し、その着信音を所定時間だけ出力するように制御する（Ｓ１０６−２，３）。一方、着信ユーザ毎の個別設定がない場合は、主制御部１２０は、着信音連動の設定があるか否かを判定する（Ｓ１０６−４）。着信音連動の設定がされていると判定した場合（Ｓ１０６−４でＹｅｓ）、主制御部１２０は、所定の設定テーブル等を用いて、受信した電子メールの絵文字に対応する着信音（効果音、音楽）を選択し（Ｓ１０６−５）、その選択した着信音を再生して出力するように制御する（Ｓ１０６−６）。上記Ｓ1０６−４のステップで着信音連動の設定がされていないと判定した場合（Ｓ１０６−４でＮｏ）は、主制御部１２０は、通常の着信音の出力制御を実行するように制御する（Ｓ１０６−７）。
【００４７】
なお、上記図６のステップＳ１０２の判定で、電子メールの件名の先頭に上記特定の絵文字（例えば、ハートの絵文字）が存在していないと判定した場合は（Ｓ１０２のＮｏ）、主制御部１２０は、通常の着信動作制御を実行する（Ｓ１０７）。
【００４８】
以上、本実施形態によれば、図６乃至図１０に示す制御例のように、受信した電子メールに特定の絵文字が含まれているとき、その絵文字に対応する着信通知画像が、メール受信後の待ち受け画面に表示される。従って、電子メールを受信してから電子メールを開いて確認するまで時間が経過した場合でも、メール受信後の待ち受け画面上で、電子メール中の絵文字を用いてメール送信者が伝えようとする感情等に関する情報を確認することができる。また、上記待ち受け画面に表示した絵文字に対応する着信通知画像により、メール受信者に対し、受信した電子メールを開く開封動作を促すことができる。
【００４９】
従来は、メール受信時、メールボックスからメールを閲覧しないと、誰からどんなメールが受信したか判断できなかった。これに対し、本実施形態では、メールの着信と同時にメールボックスにアクセスすることなく、上記絵文字に対応する着信通知画像により、誰からどんな感情のメールが来たかを確認できる。そのため、メール開封の判断すなわち受信したメールを開封するか否かの判断が容易になる。
【００５０】
図１１は、他の実施形態に係る携帯電話機１０Ａにおける電子メールを受信したときの制御の一例を示すフローチャートである。この携帯電話機１０Ａでは、上記特定の絵文字対応のメール受信時制御を実行するか否かを予め設定しておくことができる。そして、携帯電話機１０Ａが電子メールを受信すると（Ｓ２０１）、主制御部１２０は、まず、上記特定の絵文字対応のメール受信時制御の設定があるか否かを判定する（Ｓ２０２）。絵文字対応のメール受信時制御の設定があるとき（Ｓ２０２でＹｅｓ）、主制御部１２０は、前述の図６乃至図１０と同様な制御を実行する（Ｓ２０３〜Ｓ２０７）。一方、絵文字対応のメール受信時制御の設定がないときは（Ｓ２０２でＮｏ）、主制御部１２０は、通常の着信動作制御を実行する（Ｓ２０８）。
【００５１】
図１２は、更に他の実施形態に係る携帯電話機１０Ａにおける電子メールを受信したときの制御の一例を示すフローチャートである。この携帯電話機１０Ａが電子メールを受信すると（Ｓ３０１）、主制御部１２０は、まず、受信した電子メールについて着信ユーザの情報を取得し、着信ユーザを特定する（Ｓ３０２）。次に、主制御部１２０は、上記特定の絵文字対応のメール受信時制御を行う着信ユーザか否かを判定する（Ｓ３０３）。絵文字対応のメール受信時制御を行う着信ユーザのときは（Ｓ３０３でＹｅｓ）、主制御部１２０は、前述の図６乃至図１０と同様な制御を実行する（Ｓ３０４〜Ｓ３０８）。一方、絵文字対応のメール受信時制御の着信ユーザでないときは（Ｓ３０３でＮｏ）、主制御部１２０は、通常の着信動作制御を実行する（Ｓ３０９）。
【００５２】
図１２の制御例の場合は、受信した電子メールの送信者である着信ユーザが、内部メモリ１２１等の記憶手段に予めアドレス情報（メモリダイヤル）が記憶された家族や友人等の特定ユーザの場合のみ、上記特定の絵文字に対応する画像の待ち受け画面への表示を行う絵文字対応のメール受信時制御を実行する。従って、上記特定のユーザ以外から受信した電子メールに上記特定の絵文字が含まれていたとしても、上記特定の絵文字に対応する画像の待ち受け画面への表示が行われない。よって、特定のユーザ以外による上記特定の絵文字に対応した画像の表示機能の悪用や乱用を防止できる。
【００５３】
なお、上記絵文字対応のメール受信時制御を実行する着信ユーザは、アドレス帳（メモリダイヤル）にメールアドレスが登録されている登録ユーザのすべてであってもいいし、その登録ユーザの一部であってもよい。登録ユーザ毎に、上記特定の絵文字対応のメール受信時制御を実行するか否かを予め設定しておく場合は、この設定は、例えばアドレス帳（メモリダイヤル）のオプション設定項目として入力しておく。
【００５４】
また、表４に示すように、前述の図６の絵文字対応のメール受信時制御におけるバイブ連動、ランプ連動及び着信音連動は、任意に選択して実行することができる。例えば、バイブ連動、ランプ連動及び着信音連動のすべてを実行しないように制御してもいいし、いずれか２つの連動を実行をするように制御してもよい。なお、表４中の「絵文字」は、絵文字対応のメール受信時制御を行うことを示している。また、「待ち受け画面」の行の「着信ユーザ」は、着信ユーザを識別可能な画像表示を行うことを示している。
【００５５】
【表４】
2007135112.tif 000006
【００５６】
また、表５に示すように、前述の図６の絵文字対応のメール受信時制御におけるバイブ連動、ランプ連動及び着信音連動の少なくとも一つを、着信ユーザを識別可能に行ってもよい。この場合、アドレス帳（メモリダイヤル）にメールアドレスが登録されている登録ユーザ毎に、振動パターン、点灯色、着信音の種類を設定しておく。
【００５７】
【表５】
2007135112.tif 000007
【００５８】
図１３は、着信ユーザごとに着信音を異ならせる場合の携帯電話機１０Ａにおける電子メールを受信したときの制御の一例を示すフローチャートである。ステップＳ４０１〜Ｓ４０５，Ｓ４０８については、前述の図６と同じである。この制御例では、ランプ連動の設定確認及び制御（Ｓ４０５）の後、主制御部１２０は、受信した電子メールについて着信ユーザの情報を取得し、着信ユーザを特定する（Ｓ４０６）。次に、主制御部１２０は、メール着信通知動作として、その特定した着信ユーザに対応した着信音（効果音、音楽）を再生して出力するように制御する（Ｓ４０７）。この場合は、着信音で着信ユーザを特定できるとともに、待ち受け画面上の画像あるいは振動パターンやランプ点灯色で着信ユーザの感情を特定することができる。よって、メール開封の判断が更に容易になる。
【００５９】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００６０】
例えば、上記実施形態のメール受信時の制御において、絵文字に対応した画像の表示制御、バイブ制御、ランプ点灯制御および着信音出力制御の順序は、適宜変更してもよい。
【００６１】
また、本発明は、携帯電話機に限定することなく、メール送受信可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００６２】
また、上記移動体通信端末における制御は、その移動通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００６３】
【図１】本発明の実施形態に係る携帯電話機１０を用いてメール送受信等を行うための通信システムの一例を示す概略構成図。
【図２】同携帯電話機の概略構成の一例を示すブロック図。
【図３】同携帯電話機の外観構成の一例を示す正面図。
【図４】メール送信時に電子メールに絵文字を挿入するときの制御の一例を示すフローチャート。
【図５】（ａ）乃至（ｃ）はそれぞれメール作成時の画面の説明図。
【図６】電子メールを受信したときの制御の一例を示すフローチャート。
【図７】（ａ）乃至（ｃ）はそれぞれメール受信後の待ち受け画面の説明図。
【図８】バイブ連動制御例を示すフローチャート。
【図９】ランプ連動制御例を示すフローチャート。
【図１０】着信音連動制御例を示すフローチャート。
【図１１】電子メールを受信したときの他の制御例を示すフローチャート。
【図１２】電子メールを受信したときの更に他の制御例を示すフローチャート。
【図１３】電子メールを受信したときの更に他の制御例を示すフローチャート。
【符号の説明】
【００６４】
１０    携帯電話機
１０９  スピーカ
１１０  ディスプレイ
１２０  主制御部
１２１  内部メモリ
１２２  無線通信部
１２５  表示部
１２６  キー操作部
１２７  振動部
１２８  発光部
【図１】
2007135112.tif 000008
【図２】
2007135112.tif 000009
【図３】
2007135112.tif 000010
【図４】
2007135112.tif 000011
【図６】
2007135112.tif 000012
【図８】
2007135112.tif 000013
【図９】
2007135112.tif 000014
【図１０】
2007135112.tif 000015
【図１１】
2007135112.tif 000016
【図１２】
2007135112.tif 000017
【図１３】
2007135112.tif 000018
【図５】
2007135112.tif 000019
【図７】
2007135112.tif 000020